(57)【特許請求の範囲】
【請求項１】
押し花用の草花を挟んで乾燥させることができる乾燥剤を塗布あるいは含浸させた多数枚の乾燥シート本体、この多数枚の乾燥シート本体の外周部を覆うクッションとからなる少なくとも２枚以上の乾燥マットと、この少なくとも２枚以上の乾燥マットの上下面部位に重ね合せることができるように配置することができる一対のプレス板と、前記少なくとも２枚以上の乾燥マットの上下面部位に一対のプレス板を重ね合された状態でこれらを押し圧固定できるように取付けることができる少なくとも２個以上の輪ゴムと、この少なくとも２個以上の輪ゴムで押し圧固定された少なくとも２枚以上の乾燥マットおよび一対のプレス板とを収納することができる防湿袋とからなることを特徴とする押し花用具。
【発明の詳細な説明】
【０００１】
【産業上の利用分野】
本発明は押し花を作る場合に使用される押し花用具に関する。
【０００２】
【従来の技術】
最近、押し花を作る場合、押し花にする草花から効率よく水分を除去するために乾燥剤が塗布された乾燥マットに草花を挟み、本等の重しで押し圧力を加えた状態で数日放置し、押し花を作っている。
【０００３】
【本発明が解決しようとする課題】
従来の乾燥マットに草花を挟んで本等の重しで押し圧力を加える方法では、乾燥マットが大気中の水分を吸収して効率よく草花を乾燥することができないとともに、重しに使用している本等に触れたりして移動すると、押し圧されている草花が損傷するという欠点があるため、置き場所や保管に苦労するという欠点があった。
【０００４】
本発明が以上のような従来の欠点に鑑み、草花を挟んで押し圧力を加えた状態で気軽に任意の場所に保管しても、あるいは持ち運んでも、挟まれた草花が損傷することなく、効率よく乾燥されて押し花を形成することができる、取扱いが容易で気軽に押し花を作ることができる押し花用具を提供することを目的としている。
【０００５】
本発明の前記ならびにそのほかの目的と新規な特徴は次の説明を添付図面と照し合せて読むと、より完全に明らかになるであろう。
ただし、図面はもっぱら解説のためのものであって、本発明の範囲を限定するものではない。
【０００６】
【課題を解決するための手段】
上記目的を達成するために、本発明は押し花用の草花を挟んで乾燥させることができる乾燥剤を塗布あるいは含浸させた多数枚の乾燥シート本体、この多数枚の乾燥シート本体の外周部を覆うクッションとからなる少なくとも２枚以上の乾燥マットと、この少なくとも２枚以上の乾燥マットの上下面部位に重ね合せることができるように配置することができる一対のプレス板と、前記少なくとも２枚以上の乾燥マットの上下面部位に一対のプレス板を重ね合された状態でこれらを押し圧固定できるように取付けることができる少なくとも２個以上の輪ゴムと、この少なくとも２個以上の輪ゴムで押し圧固定された少なくとも２枚以上の乾燥マットおよび一対のプレス板とを収納することができる防湿袋とで押し花用具を構成している。
【０００７】
【作用】
上記のように構成された押し花用具は押し花にする草花を乾燥マットに挟み、これらをプレス板で挟んで少なくとも２個以上の輪ゴムを取付けることにより、該輪ゴムの弾性力によりプレス板、乾燥マットおよび草花が押し圧固定される。  この状態で防湿袋内に収納し、開口部をチャックで閉じることにより、乾燥マットは草花の水分だけを吸収する。
【０００８】
【本発明の実施例】
以下、図面に示す実施例により、本発明を詳細に説明する。
【０００９】
図１ないし図１０の本発明の第１の実施例において、１は本発明の押し花用具で、この押し花用具１は押し花用の草花２を挟んで乾燥させることができる少なくとも２枚以上、本実施例では５枚の乾燥マット３と、この重ね合された複数枚の乾燥マット３の上下面部位に配置することができる一対のプレス板４、４と、この一対のプレス板４、４および該一対のプレス板４、４間に重ね合された複数枚の乾燥マット３を押し圧固定できるように取付けることができる少なくとも２個以上、本実施例では２個の輪ゴム５、５と、この２個の輪ゴム５、５で押し圧固定されたものを収納することができる防湿袋６とで構成されている。
【００１０】
前記乾燥マット３は図３に示すように、塩化カルシウムあるいは塩化リチウム等の乾燥剤を塗布あるいは含浸させた多数枚の薄布あるいはワラ半紙等の薄紙を綴じた乾燥シート本体７と、この多数枚の乾燥シート本体７の外周部を覆うスポンジ等のクッションシート８とで構成されたものが使用されている。
【００１１】
前記一対のプレス板４、４は図４に示すように、前記乾燥マット３の縦・横寸法とほぼ同じ寸法の板状の水分を含浸することがない材質である合成樹脂板あるいは発泡樹脂板で形成されたものが使用されている。
【００１２】
前記防湿袋６は図５に示すように、ポリプロピレン、ＫＯＰ等の防湿性シート材で、開口部９を密閉可能に開閉することができるチャック１０と、このチャック１０の上部にヒートシール部１１およびこのヒートシール部１１とチャック１０との間にプリントされた切断用の目印１２とが形成されたものが使用されている。
【００１３】
上記構成の押し花用具一は防湿袋６内に５枚の乾燥マット３と、２枚のプレス板４、２個の輪ゴム５とを収納して密閉し、市販される。
【００１４】
使用する場合には防湿袋６の切断用の目印１２より切断し、チャック１０を開放して開口部９を開口し、乾燥マット３、プレス板４、輪ゴム５を取出し、図６に示すように乾燥マット３上に押し花用の草花２を並べた後、図７に示すように上部に乾燥マット３を重ね合せる。このような作業を順次行なって、乾燥マット３、３間に押し花用の草花２を介装させる。
【００１５】
次に、図８に示すように押し花用の草花２が介装された少なくとも２枚以上重ね合された乾燥マット３の上下面部位に重なり合うようにプレス板４、４を配置し、図９に示すように輪ゴム５、５で重ね合された少なくとも２枚以上の乾燥マット３、３とプレス板４、４とを押し圧固定する。
【００１６】
この状態で図１０に示すように防湿袋６の開口部９より内部に収納し、チャック１０で開口部９を密封することにより、大気中の湿気が防湿袋６内に入り込まず、乾燥マット３の乾燥剤によって押し花用の草花２を効率よく乾燥する。
【００１７】
この状態でテーブルや本棚に縦置きや横置きして数日放置することにより、色鮮やかな押し花ができ上がる。
【００１８】
なお、図１１ないし図１３に示すように乾燥剤を塗布したボード状の乾燥マット３Ａを用いた押し花用具１Ａにしても良い。
【００１９】
【本発明の異なる実施例】
次に図１４ないし図２２に示す本発明の異なる実施例につき説明する。なお、これらの本発明の異なる実施例の説明に当って、前記本発明の第１の実施例と同一構成部分には同一符号を付して重複する説明を省略する。
【００２０】
図１４ないし図１６の本発明の第２の実施例において、前記本発明の第１の実施例と主に異なる点は防湿袋６Ａで、この防湿袋６Ａは開口部９方向を長く形成するとともに、開口部９に封筒のように舌片１３を形成し、該舌片１３を開口端部に塗布された接着剤１４によって接着固定できるようにした点で、このように形成された防湿袋６Ａを用いた押し花用具１Ｂにしても、前記本発明の第１の実施例と同様な作用効果が得られる。
なお、本実施例では使用時に防湿袋６Ａの開口部９側を折り曲げ、下面に位置させて止めたり、あるいはテープで止めることにより、確実に密封することができる。
【００２１】
図１７ないし図１９の本発明の第３の実施例において、前記本発明の第１の実施例と主に異なる点は、一方のプレス板４に輪ゴム５、５を固定した点で、このように構成した押し花用具１Ｃにすることにより、乾燥マット３とプレス板４とを重ね合せたものに輪ゴム５、５を取付ける作業を、一人で乾燥マット３を移動させることなく楽に行なうことができる。
なお、プレス板４に取付ける輪ゴム５は紐状のゴムの両端部をプレス板４に固定したものであってもよい。
【００２２】
図２０ないし図２２の本発明の第４の実施例において、前記本発明の第１の実施例と主に異なる点は一方のプレス板４Ａの両側部寄りの部位の一方に、先端部に係止片１５、１５を取付けたゴム紐１６、１６を固定するとともに、該プレス板４Ａの他方の側面あるいは背面、本実施例では他方の側面に前記係止片１５、１５と係合する係合片１７、１７を突出させた押圧固定具を用いた点で、このように形成したプレス板４Ａを用いて構成した押し花用具１Ｄにすることにより、重ね合せた乾燥マット３の押し圧固定を楽に行なうことができる。
【００２３】
【本発明の効果】
以上の説明から明らかなように、本発明にあっては次に列挙する効果が得られる。
【００２４】
（１）押し花用の草花を挟んで乾燥させることができる乾燥剤を塗布あるいは含浸させた多数枚の乾燥シート本体、この多数枚の乾燥シート本体の外周部を覆うクッションとからなる少なくとも２枚以上の乾燥マットと、この少なくとも２枚以上の乾燥マットの上下面部位に重ね合せることができるように配置することができる一対のプレス板と、前記少なくとも２枚以上の乾燥マットの上下面部位に一対のプレス板を重ね合された状態でこれらを押し圧固定できるように取付けることができる少なくとも２個以上の輪ゴムと、この少なくとも２個以上の輪ゴムで押し圧固定された少なくとも２枚以上の乾燥マットおよび一対のプレス板とを収納することができる防湿袋とで構成されているので、押し花にする草花を挟んで積み重ねた乾燥マットを一対のプレス板と少なくとも２個以上の輪ゴムで押し圧固定することができる。
したがって、縦置きしたり、横置きしても乾燥マットに挟まれた、押し花にする草花に押し圧力を付与することができる。また、押し圧状態での収納、保管が容易で、乾燥マットに衝撃が加わっても、草花が損傷したりするのを効率よく防止することができる。
【００２５】
（２）前記（１）によって、輪ゴムで押し圧固定したものを防湿袋に収納するため、乾燥マットが大気中の湿気を吸うことなく、押し花にする草花の水分を効率よく吸収して乾燥させることができる。
したがって、草花を押し圧固定する日数を短縮して、早く押し花を作ることができる。
【００２６】
（３）前記（１）によって、構造が簡単であるので、安価に製造することができるともに、楽に誰でもが気軽に使用することができる。
【００２７】
（４）前記（１）によって、携帯が容易で、旅行等の外出先で採取した草花を押し圧固定して持ち歩いても、挟まれた草花が損傷することなく、効率よく乾燥させて押し花を形成することができる。
【図面の簡単な説明】
【図１】本発明の第１の実施例を示す一部破断斜視図。
【図２】本発明の第１の実施例を示す縦断面図。
【図３】本発明の第１の実施例の乾燥マットを示す一部破断斜視図。
【図４】本発明の第１の実施例のプレス板の斜視図。
【図５】本発明の第１の実施例の防湿袋の説明図。
【図６】本発明の第１の実施例の乾燥マット上に草花を配置した状態の説明図。
【図７】本発明の第１の実施例の草花を乾燥マットで挟む状態の説明図。
【図８】本発明の第１の実施例の乾燥マットで草花を挟み、その上下面をプレス板で覆った状態の説明。
【図９】本発明の第１の実施例の輪ゴムで押し圧固定した説明図。
【図１０】本発明の第１の実施例の防湿袋に収納する状態の説明図。
【図１１】本願発明者が考えた押し花用具の一部破断斜視図。
【図１２】本願発明者が考えた押し花用具の縦断面図。
【図１３】本願発明者が考えた押し花用具の乾燥マットを示す説明図。
【図１４】本発明の第２の実施例を示す一部破断斜視図。
【図１５】本発明の第２の実施例を示す縦断面図。
【図１６】本発明の第２の実施例の防湿袋の説明図。
【図１７】本発明の第３の実施例を示す一部破断斜視図。
【図１８】本発明の第３の実施例のプレス板の斜視図。
【図１９】本発明の第３の実施例の輪ゴムで押し圧固定した説明図。
【図２０】本発明の第４の実施例を示す一部破断斜視図。
【図２１】本発明の第４の実施例のプレス板の斜視図。
【図２２】本発明の第４の実施例のゴム紐で押し圧固定した説明図。
【符号の説明】
１、１Ａ、１Ｂ、１Ｃ、１Ｄ：押し花用具、
２：押し花用の草花、      ３、３Ａ：乾燥マット、
４、４Ａ：プレス板、      ５：輪ゴム、
６、６Ａ：防湿袋、        ７：乾燥シート本体、
８：クッションシート、    ９：開口部、
１０：チャック、          １１：ヒートシール部、
１２：切断用の目印、      １３：舌片、
１４：接着剤、            １５：係止片、
１６：ゴム紐、            １７：係合片。
【図１】
0003703156.tif 000002
【図２】
0003703156.tif 000003
【図３】
0003703156.tif 000004
【図４】
0003703156.tif 000005
【図５】
0003703156.tif 000006
【図６】
0003703156.tif 000007
【図７】
0003703156.tif 000008
【図８】
0003703156.tif 000009
【図９】
0003703156.tif 000010
【図１０】
0003703156.tif 000011
【図１１】
0003703156.tif 000012
【図１２】
0003703156.tif 000013
【図１３】
0003703156.tif 000014
【図１４】
0003703156.tif 000015
【図１５】
0003703156.tif 000016
【図１６】
0003703156.tif 000017
【図１７】
0003703156.tif 000018
【図１８】
0003703156.tif 000019
【図１９】
0003703156.tif 000020
【図２０】
0003703156.tif 000021
【図２１】
0003703156.tif 000022
【図２２】
0003703156.tif 000023